(57)【要約】【課題】本発明は、ウェブページインターフェース提供システムを提供する。【解決手段】本発明の実施例によるウェブページインターフェース提供システムはウェブページ提供情報のうちで一部が含まれたページレット情報を生成して、端末機から前記ウェブページ送信が要請されれば前記ページレット情報が含まれたウェブページを前記端末機に送信するウェブサーバーと、該ウェブサーバーでウェブページの送信を要請して、前記ウェブサーバーから前記ウェブページを受信すれば前記ウェブページからページレット情報を抽出してページレットを生成して、前記ウェブページと独立的な画面制御が可能なページレットをディスプレーする端末機を含む。このような本発明によれば制限された大きさのディスプレー装置を具備した端末機でも小型ウェブページであるページレットを使ってウェブページの情報を便利に活用するのが可能である。【選択図】図３
2010020770.tif 000002
【特許請求の範囲】
【請求項１】
ウェブページインターフェース提供システムにおいて、
ウェブページ提供情報のうちで一部が含まれたページレット情報を生成して、端末機から前記ウェブページ送信が要請されれば前記ページレット情報が含まれたウェブページを前記端末機に送信するウェブサーバーと、
前記ウェブサーバーにウェブページの送信を要請して、前記ウェブサーバーから前記ウェブページを受信すれば前記ウェブページからページレット情報を抽出してページレットを生成して、前記ウェブページと独立的な画面制御が可能なページレットをディスプレーする端末機を含むウェブページインターフェース提供システム。
【請求項２】
前記ページレット情報は、ウェブページの検索機能、ウェブページ内のウェブサイトリンク、ウェブページの主要内容要約情報、端末機に特化された情報のうちで少なくとも一つを含むことを特徴とする請求項１に記載のウェブページインターフェース提供システム。
【請求項３】
前記ウェブサーバーは前記ページレットを生成して、前記ページレットを要請することができるページレット要請情報を前記端末機に送信して、前記端末機から前記ページレット要請情報を使って前記ページレット送信が要請されれば前記ページレットを送信することを特徴とする請求項１に記載のウェブページインターフェース提供システム。
【請求項４】
前記ページレット要請情報は、前記ページレットを要請することができる単一資源インジケータを含むことを特徴とする請求項３に記載のウェブページインターフェース提供システム。
【請求項５】
前記端末機は、受信されたウェブページに前記ページレット情報が含まれない場合前記ウェブページを使って前記ページレットを生成して、生成されたページレットをディスプレーすることを特徴とする請求項１に記載のウェブページインターフェース提供システム。
【請求項６】
前記端末機は、ウェブページがディスプレーされる時点、ページレットディスプレーのためのキー入力が存在する時点、ページレットディスプレーのためのメニュー選択が存在する時点、ウェブページに設定されたページレットディスプレーインジケータ値が指示する時点のうちで一つの時点にページレットをディスプレーすることを特徴とする請求項１に記載のウェブページインターフェース提供システム。
【請求項７】
前記端末機は、前記ページレットを前記ウェブページと別途のディスプレー装置を通じてウェブページと別にディスプレーする方式、一つのディスプレー装置にウェブページと区分してディスプレーする方式、一つのディスプレー装置にウェブページと重複してディスプレーする方式のうちで一つの方式でディスプレーすることを特徴とする請求項１に記載のウェブページインターフェース提供システム。
【請求項８】
前記ページレットに含まれたページレット情報は、あらかじめ設定された大きさでディスプレーされることを特徴とする請求項１に記載のウェブページインターフェース提供システム。
【請求項９】
前記あらかじめ設定された大きさは、前記ウェブページ原本と同一な大きさであることを特徴とする請求項８に記載のウェブページインターフェース提供システム。
【請求項１０】
ウェブページインターフェース提供方法において、
ウェブサーバーでウェブページ提供情報のうちで一部が含まれたページレット情報を生成する段階と、
端末機で、前記ウェブサーバーにウェブページの送信を要請する段階と、
前記ウェブサーバーで前記ウェブページ送信要請に相応して前記ページレット情報が含まれたウェブページを前記端末機に送信する段階と、
前記端末機で前記ウェブページを受信すれば前記ページレット情報を抽出してページレットを生成する段階と、
前記端末機で前記ウェブページと独立的な画面制御が可能なページレットをディスプレーする段階と、を含むことを特徴とするウェブページインターフェース提供方法。
【請求項１１】
前記ページレット情報は、ウェブページの検索機能、ウェブページ内のウェブサイトリンク、ウェブページの主要内容要約情報、端末機に特化された情報のうちで少なくとも一つを含むことを特徴とする請求項１０に記載のウェブページインターフェース提供方法。
【請求項１２】
前記ページレットをディスプレーする段階は、
前記ウェブサーバーでページレットを生成する段階と、
前記ウェブサーバーで前記ページレットを要請することができるページレット要請情報を端末機に送信する段階と、
前記端末機で前記ページレット要請情報を使ってページレット送信を要請する段階と、
前記ウェブサーバーで前記ページレット送信要請に相応して前記端末機に前記ページレットを送信する段階と、
前記端末機で前記ページレットを受信してディスプレーする段階と、をさらに含むことを特徴とする請求項１０に記載のウェブページインターフェース提供方法。
【請求項１３】
前記ページレット要請情報は、前記ページレットを要請することができる単一資源インジケータを含むことを特徴とする請求項１２に記載のウェブページインターフェース提供方法。
【請求項１４】
前記ページレットをディスプレーする段階は、
前記端末機で受信されたウェブページに前記ページレット情報が含まれていない場合受信されたウェブページを使って前記ページレットを生成する段階と、
前記端末機で前記生成されたページレットをディスプレーする段階をさらに含むことを特徴とする請求項１０に記載のウェブページインターフェース提供方法。
【請求項１５】
前記ページレットをディスプレーする段階は、
前記ウェブページがディスプレーされる時点、ページレットディスプレーのためのキー入力が存在する時点、ページレットディスプレーのためのメニュー選択が存在する時点、ウェブページに設定されたページレットディスプレーインジケータ値が指示する時点のうちで一つの時点にページレットをディスプレーする段階を含むことを特徴とする請求項１０に記載のウェブページインターフェース提供方法。
【請求項１６】
前記ページレットをディスプレーする段階は、
前記ページレットを前記ウェブページと別途のディスプレー装置を通じてウェブページと別にディスプレーする方式、一つのディスプレー装置にウェブページと区分してディスプレーする方式、一つのディスプレー装置にウェブページと重複してディスプレーする方式のうちで一つの方式でディスプレーする段階を含むことを特徴とする請求項１０に記載のウェブページインターフェース提供方法。
【請求項１７】
前記ページレットに含まれたページレット情報は、あらかじめ設定された大きさでディスプレーされることを特徴とする請求項１０に記載のウェブページインターフェース提供方法。
【請求項１８】
前記あらかじめ設定された大きさは、前記ウェブページ原本と同一な大きさであることを特徴とする請求項１７に記載のウェブページインターフェース提供方法。
【請求項１９】
ウェブページインターフェースを提供するウェブサーバーにおいて、
ウェブページ提供情報のうちで一部が含まれたページレット情報を生成するページレット生成部と、
前記ページレット情報が含まれたウェブページを生成するウェブページ生成部と、
前記端末機からウェブページ送信要請を受信して、前記ウェブページ送信要請に相応して前記ページレット情報が含まれたウェブページを該当端末機に送信する送受信部と、
前記ウェブページ生成部で前記ページレット情報が含まれたウェブページを生成するように制御して、前記送受信部を通じて生成されたウェブページを端末機に送信するように制御するサーバー制御部を含むウェブサーバー。
【請求項２０】
前記ページレット情報は、ウェブページの検索機能、ウェブページ内のウェブサイトリンク、ウェブページの主要内容要約情報、端末機に特化された情報のうちで少なくとも一つを含むことを特徴とする請求項１９に記載のウェブサーバー。
【請求項２１】
前記サーバー制御部は、前記ページレットを生成して、前記ページレットを要請することができるページレット要請情報を送信して、前記端末機から前記ページレット要請情報を使ったページレット送信が要請されれば、前記生成されたページレットを送信するように制御することを特徴とする請求項１９に記載のウェブサーバー。
【請求項２２】
前記ページレット要請情報は、前記ページレットを要請することができる単一資源インジケータを含むことを特徴とする請求項２１に記載のウェブサーバー。
【請求項２３】
ウェブサーバーでウェブページインターフェースを提供する方法において、
ウェブページ提供情報のうちで一部が含まれたページレット情報を生成する段階と、
端末機から前記ウェブページの送信を要請するメッセージを受信する段階と、
前記ウェブページ送信要請に相応して前記ページレット情報が含まれたウェブページを前記端末機に送信する段階と、を含むウェブページインターフェース提供方法。
【請求項２４】
前記ページレット情報は、ウェブページの検索機能、ウェブページ内のウェブサイトリンク、ウェブページの主要内容要約情報、端末機に特化された情報のうちで少なくとも一つを含むことを特徴とする請求項２３に記載のウェブページインターフェース提供方法。
【請求項２５】
前記ページレットを生成して、前記ページレットを要請することができるページレット要請情報を送信する段階と、
前記端末機から前記ページレットの送信を要請するメッセージを受信すれば、前記生成されたページレットを前記端末機に送信する段階をさらに含むことを特徴とする請求項２３に記載のウェブページインターフェース提供方法。
【請求項２６】
前記ページレット要請情報は、前記ページレットを要請することができる単一資源インジケータを含むことを特徴とする請求項２５に記載のウェブページインターフェース提供方法。
【請求項２７】
ウェブページインターフェースを提供する端末機において、
ウェブページ送信を要請するメッセージをウェブサーバーに送信して、前記ウェブサーバーから前記ウェブページを受信する送受信部と、
前記ウェブページからウェブページ提供情報のうちで一部が含まれたページレット情報を抽出して、ページレットを生成して、生成されたページレットを、ディスプレー装置を通じてディスプレーされるように制御する端末制御部と、
前記ウェブページと独立的な画面制御が可能なページレットをディスプレーするディスプレー装置を含む端末機。
【請求項２８】
前記ページレット情報は、ウェブページの検索機能、ウェブページ内のウェブサイトリンク、ウェブページの主要内容要約情報、端末機に特化された情報のうちで少なくとも一つを含むことを特徴とする請求項２７に記載の端末機。
【請求項２９】
前記端末制御部は、前記ウェブサーバーからページレット要請情報を受信すれば、前記ページレット要請情報を使ってページレット送信を要請して、前記ページレット送信要請に相応して前記ページレットを受信すれば、前記ページレットをディスプレーするように制御することを特徴とする請求項２７に記載の端末機。
【請求項３０】
前記ページレット要請情報は、前記ページレットを要請することができる単一資源インジケータを含むことを特徴とする請求項２９に記載の端末機。
【請求項３１】
前記端末制御部は、受信されたウェブページに前記ページレット情報が含まれない場合前記ウェブページを使って前記ページレットを生成して、生成されたページレットを前記ディスプレー装置を通じてディスプレーされるように制御することを特徴とする請求項２７に記載の端末機。
【請求項３２】
前記端末制御部は、ウェブページがディスプレーされる時点、ページレットディスプレーのためのキー入力が存在する時点、ページレットディスプレーのためのメニュー選択が存在する時点、ウェブページに設定されたページレットディスプレーインジケータ値が指示する時点のうちで一つの時点にページレットを前記ディスプレー装置にディスプレーされるように制御することを特徴とする請求項２７に記載の端末機。
【請求項３３】
前記サーバー制御部は、前記ページレットを前記ウェブページと別途のディスプレー装置を通じてウェブページと別にディスプレーする方式、一つのディスプレー装置にウェブページと区分してディスプレーする方式、一つのディスプレー装置にウェブページと重複してディスプレーする方式のうちで一つの方式で前記ディスプレー装置にディスプレーされるように制御することを特徴とする請求項２７に記載の端末機。
【請求項３４】
前記ページレットに含まれたページレット情報は、あらかじめ設定された大きさでディスプレーされることを特徴とする請求項２７に記載の端末機。
【請求項３５】
前記あらかじめ設定された大きさは、前記ウェブページ原本と同一な大きさであることを特徴とする請求項３４に記載の端末機。
【請求項３６】
端末機でウェブページインターフェースを提供する方法において、
ウェブサーバーでウェブページ送信を要請する段階と、
前記ウェブページを受信すれば、前記受信されたウェブページを使ってウェブページ提供情報のうちで一部が含まれたページレット情報を抽出してページレットを生成する段階と、
前記ウェブページと独立的な画面制御が可能なページレットをディスプレーする段階を含むウェブページインターフェース提供方法。
【請求項３７】
前記ページレット情報は、ウェブページの検索機能、ウェブページ内のウェブサイトリンク、ウェブページの主要内容要約情報、端末機に特化された情報のうちで少なくとも一つを含むことを特徴とする請求項３６に記載のウェブページインターフェース提供方法。
【請求項３８】
前記ページレットをディスプレーする段階は、
前記ウェブサーバーからページレット要請情報を受信すれば、前記ページレット要請情報を使ってページレット送信を要請する段階と、
前記ページレット送信要請に相応して前記ページレットを受信すれば、前記ページレットをディスプレーする段階をさらに含むことを特徴とする請求項３６に記載のウェブページインターフェース提供方法。
【請求項３９】
前記ページレット要請情報は、前記ページレットを要請することができる単一資源インジケータを含むことを特徴とする請求項３８に記載のウェブページインターフェース提供方法。
【請求項４０】
前記ページレットをディスプレーする段階は、
前記受信されたウェブページに前記ページレット情報が含まれていない場合受信されたウェブページを使って前記ページレットを生成する段階と、
前記生成されたページレットをディスプレーする段階をさらに含むことを特徴とする請求項３６に記載のウェブページインターフェース提供方法。
【請求項４１】
前記ページレットをディスプレーする段階は、
前記ウェブページがディスプレーされる時点、ページレットディスプレーのためのキー入力が存在する時点、ページレットディスプレーのためのメニュー選択が存在する時点、ウェブページに設定されたページレットディスプレーインジケータ値が指示する時点のうちで一つの時点にページレットをディスプレーする段階を含むことを特徴とする請求項３６に記載のウェブページインターフェース提供方法。
【請求項４２】
前記ページレットをディスプレーする段階は、
前記ページレットを前記ウェブページと別途のディスプレー装置を通じてウェブページと別にディスプレーする方式、一つのディスプレー装置にウェブページと区分してディスプレーする方式、一つのディスプレー装置にウェブページと重複してディスプレーする方式のうちで一つの方式でディスプレーする段階を含むことを特徴とする請求項３６に記載のウェブページインターフェース提供方法。
【請求項４３】
前記ページレットに含まれたページレット情報はあらかじめ設定された大きさでディスプレーされることを特徴とする請求項３６に記載のウェブページインターフェース提供方法。
【請求項４４】
前記あらかじめ設定された大きさは、前記ウェブページ原本と同一な大きさであることを特徴とする請求項４３に記載のウェブページインターフェース提供方法。
【発明の詳細な説明】
【技術分野】
【０００１】
本発明は、ウェブページ(webpage)インターフェース提供方法及びシステムに関するものであり、特にディスプレーの大きさが制限された端末機でウェブページ情報のうちで一部が含まれた小型ウェブページを提供するウェブページインターフェース提供方法及びシステムに関するものである。
【背景技術】
【０００２】
現在の通信システムでは、多様な大きさを有する端末機が使われている。前記通信システムで使われる端末機は一例で、個人コンピューター(ＰＣ:PersonalComputer)、ノートブック(notebook)、有線電話機、携帯電話(cellularphone)、ポータブルマルチメディアプレーヤー(ＰＭＰ:PortableMultimediaPlayer)、デジタルマルチメディアブロードキャスティングプレーヤー(ＤＭＢplayer:DigitalMultimediaBroadcastingplayer)、スマートフォン(smartphone)、ウルトラモバイルＰＣ(ＵＭＰＣ:UltraMobilePC)などがある。
また、前記通信システムは、データ送受信技術の発展とインターネットの拡張によってウェブブラウジングサービス(webbrowsingservice)のサービス領域が徐徐に拡張され、個人コンピューターだけではなく、他の端末機らでもウェブブラウジングサービスが提供される成り行きにある。
【０００３】
先ず、個人コンピューターでウェブブラウジングサービスを提供する場合を図１を参照して説明する。
図１は、一般なウェブブラウジングサービスを提供する個人コンピューターディスプレー画面を示した図面である。
図１を参照すれば、ウェブブラウジングサービス提供によるウェブページ全体１１０と前記ウェブブラウジングサービスが提供される個人コンピューターのディスプレー画面１２０が示されている。
ウェブページ全体１１０は、実際ディスプレー装置を通じて閲覧される領域より大きい大きさを有していて、前記個人コンピューターのディスプレー装置は、前記ウェブページ全体１１０の一部領域のみを閲覧することができる。
【０００４】
前記個人コンピューターで閲覧される領域の大きさ、すなわち、ディスプレー解像度は一例で、１０２４×７６８であり、情報を一つの閲覧領域内で獲得するのに十分であり、ウェブページも前記１０２４×７６８の解像度を有するディスプレー領域で便利に閲覧することができるように製作されるので、ウェブブラウジングサービスを使用者に提供するのに難しさがない。
このように個人コンピューターは、閲覧領域が十分な大きさを有しているので、個人コンピューター画面にディスプレーされるウェブページを使ってウェブブラウジングサービスを使用者に提供するのに難しさが存在しない。
【０００５】
しかし、現在すべての端末機が前記個人コンピューターのように十分な閲覧領域を有するディスプレー装置を具備しているものではない。特に、携帯電話のような移動端末機は、携帯性と移動性という特性によってその大きさが制限されているし、これにより前記移動端末機は制限された大きさのディスプレー装置を具備している。
【０００６】
このように制限されたディスプレー装置を具備した端末機、一例に移動端末機でウェブブラウジングサービスを提供する場合を下記の図２を参照して説明する。
図２は、一般なウェブブラウジングサービスを提供する移動端末機ディスプレー画面を示した図面である。
図２を参照すれば、ウェブブラウジングサービス提供によるウェブページ全体２１０と前記ウェブブラウジングサービスが提供される移動端末機のディスプレー画面１２０が示されている。
前記移動端末機は一例で、前記個人コンピューターよりずっと低い(小さい)４３２×２４０のディスプレー解像度を有している。
よって、前記移動端末機はウェブページ全体２１０を一度に閲覧することができないことは勿論であり、有意味な情報を一つの閲覧領域内で獲得するにも大きく不足である。また、前記ウェブページも該当領域の大きさに合うように製作されなかったので、ウェブブラウジングサービスを使用者に提供するのに難しさが存在する。
【０００７】
さらに、図２の移動端末機より小さなディスプレー装置を具備した端末機らではウェブブラウジングサービスを使用者に提供するのにさらに大きい難しさが存在する。
現在、ウェブブラウジングシステムは、前記移動端末機のように制限されたディスプレー装置を具備した端末機にウェブブラウジングサービスを提供するために一例で、下記のような方法を使用する。
一番目に、前記ウェブブラウジングシステムは、ウェブページ全体の幅(横)を前記端末機の制限されたディスプレー装置の閲覧領域の幅に合わせてウェブブラウジングサービスを提供する。この時、前記端末機は個人コンピューターでウェブページを閲覧した際のように閲覧領域の左右移動なしにウェブページを閲覧することができるが、ウェブページ設計時に考慮したウェブページの幅より過度に細くなってウェブページの閲覧が難しいことがある。
二番目に、前記ウェブブラウジングシステムは、ウェブページ全体でウェブページの幅と閲覧領域の幅をそれぞれ独立的に設定して、前記端末機にウェブブラウジングサービスを提供する。この時、ウェブページの幅が閲覧領域の幅より広くなるようになって、端末機がウェブページ幅全体にかかられている字を閲覧しようとする場合には、閲覧領域を続けて左右に動かして閲覧しなければならない不便さがある。
三番目に、前記ウェブブラウジングシステムは、ウェブページ全体を一定倍率で縮小して閲覧するようにする。この場合、前記端末機の閲覧領域内で適切に縮小すればより多いウェブページの内容を見られるが、字も縮小されるので読み難くなる不便さがある。
このようなウェブブラウジングサービス方法らを使えば、それぞれが短所を有しているので、ウェブページを個人コンピューターなどのような水準で活用することが難しい。
特に、小さなディスプレー装置を具備する端末機でウェブページをディスプレーする場合に実際ウェブページ内容の大部分がディスプレー装置の閲覧領域の外に存在して情報獲得及び利用が難しいか、またはウェブページ内容が縮小されって使用者に内容を識別するようにすることが難しいという問題点がある。
【発明の概要】
【発明が解決しようとする課題】
【０００８】
本発明の目的は、制限された大きさのディスプレー装置を具備した端末機でウェブページインターフェース提供方法及びシステムを提供することにある。
本発明の他の目的は、制限された大きさのディスプレー装置を具備した端末機でウェブページ情報獲得及び利用が可能なウェブページインターフェース提供方法及びシステムを提供することにある。
本発明のまた他の目的は、制限された大きさのディスプレー装置を具備した端末機でウェブページ情報の識別が可能なウェブページインターフェース提供方法及びシステムを提供することにある。
【課題を解決するための手段】
【０００９】
前記した目的を達成するための本発明のシステムは、ウェブページインターフェース提供システムにおいて、ウェブページ提供情報のうちで一部が含まれたページレット情報を生成して、端末機から前記ウェブページ送信が要請されれば前記ページレット情報が含まれたウェブページを前記端末機に送信するウェブサーバーと、該ウェブサーバーにウェブページの送信を要請して、前記ウェブサーバーから前記ウェブページを受信すれば、前記ウェブページからページレット情報を抽出してページレットを生成して、前記ウェブページと独立的な画面制御が可能なページレットをディスプレーする端末機を含む。
前記した目的を達成するための本発明の方法は、ウェブページインターフェース提供方法において、ウェブページ提供情報のうちで一部が含まれたページレット情報を生成する段階と、端末機から前記ウェブサーバーにウェブページ送信を要請する段階と、前記ウェブサーバーで前記ウェブページ送信要請に相応して前記ページレット情報が含まれたウェブページを前記端末機に送信する段階と、前記端末機で前記ウェブページを受信すれば前記ページレット情報を抽出してページレットを生成する段階と、前記端末機で前記ウェブページと独立的な画面制御が可能なページレットをディスプレーする段階を含む。
前記した目的を達成するための本発明のウェブサーバーは、ウェブページインターフェースを提供するウェブサーバーにおいて、ウェブページ提供情報のうちで一部が含まれたページレット情報を生成するページレット生成部と、前記ページレット情報が含まれたウェブページを生成するウェブページ生成部と、前記端末機からウェブページ送信要請を受信して、前記ウェブページ送信要請に相応して前記ページレット情報が含まれたウェブページを該当端末機に送信する送受信部と、前記ウェブページ生成部で前記ページレット情報が含まれたウェブページを生成するように制御して、前記送受信部を通じて生成されたウェブページを端末機に送信するように制御するサーバー制御部を含む。
前記した目的を達成するための本発明の他の方法は、ウェブサーバーでウェブページインターフェースを提供する方法において、ウェブページ提供情報のうちで一部が含まれたページレット情報を生成する段階と、端末機から前記ウェブページの送信を要請するメッセージを受信する段階と、前記ウェブページ送信要請に相応して前記ページレット情報が含まれたウェブページを前記端末機に送信する段階を含む。
前記した目的を達成するための本発明の端末機は、ウェブページインターフェースを提供する端末機において、ウェブページ送信を要請するメッセージをウェブサーバーに送信して、前記ウェブサーバーから前記ウェブページを受信する送受信部と、前記ウェブページからウェブページ提供情報のうちで一部が含まれたページレット情報を抽出してページレットを生成して、生成されたページレットをディスプレー装置を通じてディスプレーされるように制御する端末制御部と、前記ウェブページと独立的な画面制御が可能なページレットをディスプレーするディスプレー装置を含む。
前記した目的を達成するための本発明のまた他の方法は、端末機でウェブページインターフェースを提供する方法において、ウェブサーバーにウェブページ送信を要請する段階と、前記ウェブページを受信すれば、前記受信されたウェブページを使ってウェブページ提供情報のうちで一部が含まれたページレット情報を抽出してページレットを生成する段階と、前記ウェブページと独立的な画面制御が可能なページレットをディスプレーする段階と、を含む。
【発明の効果】
【００１０】
本発明は、ディスプレー大きさが制限された端末機でウェブページ情報のうちで一部が含まれた小型ウェブページを提供する。したがって、本発明は制限された大きさのディスプレー装置を具備した端末機でも使用者に必要な情報が含まれた小型ウェブページを使ってウェブページインターフェースを提供することが可能であるという利点を有するものである。また、本発明は制限された大きさのディスプレー装置を有する端末機でも小型ウェブページを使って便利にウェブページを活用、すなわち、ウェブページ情報獲得及び利用することが可能であるという利点を有するものである。また、本発明は制限された大きさのディスプレー装置を有する端末機でウェブページ情報の識別が可能であるという利点を有するものである。
【図面の簡単な説明】
【００１１】
【図１】一般的なウェブブラウジングサービスを提供する個人コンピューターディスプレー画面を示した図面である。
【図２】一般的なウェブブラウジングサービスを提供する移動端末機ディスプレー画面を示した図面である。
【図３】本発明の実施例によるページレットを使ったウェブブラウジングサービスを提供する移動端末機画面を示した図面である。
【図４】本発明の実施例によるページレットを使ってウェブページインターフェースを提供するシステム構造を示した図面である。
【図５】本発明の実施例によるウェブページインターフェース提供システムのウェブサーバーを示した図面である。
【図６】本発明の実施例によるウェブページインターフェース提供システムの端末機を示した図面である。
【図７】本発明の第１実施例によるページレットを使ってウェブページインターフェースを提供するウェブサーバーと端末機の動作を示した信号流れ図である。
【図８】本発明の第２実施例によるページレットを使ってウェブページインターフェースを提供するウェブサーバーと端末機の動作を示した信号流れ図である。
【図９】本発明の実施例でページレット情報が挿入されたＨＴＭＬコードを示した図面である。
【発明を実施するための形態】
【００１２】
以下、本発明による望ましい実施例を添付した図面を参照して詳しく説明する。下記の説明では本発明による動作を理解するのに必要な部分のみが説明されて、その以外部分の説明は本発明の要旨を曇らせないように省略されるはずであることを留意しなければならない。
【００１３】
本発明は、ウェブページ(webpage)インターフェース提供方法及びシステムを提供する。特に、本発明はウェブページ情報のうちで一部が含まれた小型ウェブページすなわち、ページレット(pagelet)をウェブページとともに提供するウェブページインターフェース提供方法及びシステムを提供する。
下記では説明の便宜のために制限されたディスプレー装置を有する端末機を一例で、携帯電話(cellularphone)のような移動端末機(mobilestation)などになることができる。しかし、本発明は前記移動端末機だけではなく、ディスプレー装置を有するすべての端末機らに適用することができる。また、本発明はウェブブラウジングサービスの提供が可能なすべての有無線通信システムに適用することができる。
【００１４】
前記ページレットは、ウェブページ情報のうちで一部、一例でウェブページの検索機能、ウェブページ内のウェブサイトリンク、ウェブページの主要内容要約情報が含まれた小型ウェブページである。前記ページレットはウェブページの主要機能が要約されて、ウェブページに論理的に含まれる。また、前記ページレットはウェブページ内で端末機が選択した特定情報または前記端末機に特化された情報をさらに含むことができる。
【００１５】
前記ページレットは、前記ページレットを除いたウェブページに対する閲覧領域移動、内容拡大/縮小などの画面制御行動とは別途の独立的な画面制御行動によって制御される。すなわち、ウェブページが拡大/縮小される場合ページレットもウェブページと同時に拡大/縮小されない。前記端末機は、前記ページレットの画面制御のために別途のキーまたはメニューの選択、別途のマウスを入力など、ウェブページとは別途の使用者入力を使用する。また、前記ページレットに含まれたページレット情報は、前記端末機ディスプレー装置の大きさにかかわらずあらかじめ設定された大きさ、すなわち使用者が肉眼で確認可能な最小大きさ以上の大きさでディスプレーされる。また、前記ページレットは、前記端末機ディスプレー装置内でディスプレーされて、ディスプレー装置の中心(真中)を基準に上端、下端、右側、左側、右側上端、右側下端、左側上端、左側下端などに位置することができるし、前記ディスプレー装置の閲覧領域内で移動可能である。
【００１６】
前記ページレットを使って端末機、一例に移動端末機でウェブブラウジングサービスを提供する場合を下記の図３を参照して説明する。
図３は、本発明の実施例によるページレットを使ったウェブブラウジングサービスを提供する移動端末機画面を示した図面である。
図３を参照すれば、制限されたディスプレー装置を有する移動端末機３００が示されている。また、ウェブブラウジングサービスの提供によるウェブページ全体３１０と前記ウェブブラウジングサービスが提供される移動端末機３００のディスプレー画面３２０が示されている。
【００１７】
ここで前記ウェブページは、前記ディスプレー画面３２０の閲覧領域の幅に合わせてウェブページ全体を一定倍率で縮小してディスプレーされる。例えば、ウェブページ全体を７５％、５０％、２５％などの一定倍率で縮小してディスプレーすることができる。しかし、前記ウェブページはウェブページ全体を一定倍率で縮小してディスプレーする方法以外の多様な方法でディスプレーされることができるし、前記ウェブページをディスプレーすることは本発明の範囲を脱するので、詳細な説明は省略する。
【００１８】
一方、前記ディスプレー画面３２０に本発明で提案されたページレット３３０が示されている。前記ページレット３３０は一例で、ウェブページの検索機能、ウェブページ内のウェブサイトリンク、移動端末機に特化された情報を含む。
前記ページレット３３０は、前記ウェブページの形態とかかわらず独立的な形態でディスプレーされる。ここで前記ページレット３３０に含まれたページレット情報は、前記ウェブページの原本大きさと同一な大きさでディスプレーされると仮定する。この時、前記ページレット３３０はスキンを透明に設定して、ウェブページの内容を同時に確認できるようにすることができて、透明度を前記移動端末機の制御によって可変して設定することもできる。また、前記ページレット３３０は移動端末機の制御を通じて大きさをディスプレー画面内で縮小、拡大、移動して使用することもできる。
【００１９】
次に、本発明で提案されたページレットを使ってウェブページインターフェースを提供するシステムを下記の図４を参照して説明する。
図４は、本発明の実施例によるページレットを使ってウェブページインターフェースを提供するシステム構造を示した図面である。
図４を参照すれば、ウェブページインターフェース提供システムは、ウェブサーバー(webserver)４２０と端末機４３０を含む。前記ウェップサーバー４２０と前記端末機４３０はネットワーク(network)４１０を通じて連結されている。
前記ネットワーク４１０は、有無線ネットワークをすべて含む。
前記ウェップサーバー４２０は、ウェブサーバープログラムが設置されているし、前記端末機４３０はウェブブラウザーが設置されている。前記ウェブブラウザー４２０は、前記ウェブサーバーに設置されることもできる。
【００２０】
前記ウェップサーバー４２０と端末機４３０との間にページレットを生成する方式を説明する。
一番目に、前記ウェップサーバー４２０がウェブページに含まれたページレット情報を使ってウェブページを生成して、前記ウェブページを受信した端末機４３０が前記ウェブページから前記ページレット情報を抽出してページレットを生成する方式がある。
二番目に、ウェップサーバー４２０がウェブページとページレットをそれぞれ生成する方式がある。
三番目に、ウェップサーバー４２０がウェブページを端末機４３０に送信して、前記端末機４３０が前記ウェブページを使ってページレットを生成する方式がある。
【００２１】
次に、ウェブサーバーの構造を下記の図５を参照して説明する。
図５は、本発明の実施例によるウェブページインターフェース提供システムのウェブサーバーを示した図面である。
図５を参照すれば、ウェブサーバーはサーバー制御部(servercontroller)５１１、保存装置(storagedevice)５１３、送受信部(transmitter/receiver)５１５、ウェブページ生成部(webpagegenerator)５１７、ページレット生成部(pageletgenerator)５１９を含む。
【００２２】
前記保存装置５１３は、前記ウェブサーバー駆動のためのプログラムらとウェブブラウジングサービス提供のためのデータらが保存される。また、前記保存装置５１３にはプログラムらを遂行するのに発生されるデータらが一時保存されて、ウェブブラウジングサービス提供のためのウェブサーバープログラム及びウェブページ生成のための情報が保存される。前記保存装置５１３にはウェブブラウザー(webbrowser)が保存されることができる。
【００２３】
前記送受信部５１５は、前記ウェブサーバーに受信される信号と前記ウェブサーバーに送信する信号を処理する。前記送受信部５１５は端末機からウェブページの送信を要請するメッセージまたはページレット送信を要請するメッセージを受信して、前記受信されたメッセージに相応してウェブページまたはページレットを該当端末機に送信する。
【００２４】
前記ウェブページ生成部５１７は、前記サーバー制御部５１１の制御を通じてウェブページを生成する。前記ウェブページ生成部５１７は、前記ウェブページを生成する場合ページレット生成のための情報、すなわち、ページレット情報を含んで生成することができる。また、前記ウェブページ生成部５１７は、前記ウェブページを生成する場合前記ページレット要請のための情報、すなわちページレット要請情報を含んで生成することができる。
ここで、前記ページレット情報は、ページレット生成時にページレットに含まれる情報であり、前記ページレット要請情報はウェブサーバーにページレットの送信を要請するために使われる情報である。
前記ページレット情報は、例えば、ウェブページの検索機能関連情報、ウェブページ内のウェブサイトリンク情報、ウェブページ主要内容要約情報、端末機に特化された情報などを含む。前記端末機に特化された情報は、例えば、端末機位置に基盤した広告情報などを含む。前記端末機位置に基盤した広告情報は、前記端末機が位置した所の劇場や飲食店などのような所に対する広告情報などを含む。前記端末機に特化された情報は、前記端末機位置に基盤した広告だけではなく、端末機特性、端末機で提供されるコンテンツ特性などによって多様な情報を追加することができる。また、前記端末機位置に基盤した広告情報は移動端末機などに活用されることができる。
【００２５】
前記位置情報に基盤した広告情報は、すべてのウェブページに含まれることよりはページレットに含まれることができる。前記端末機は、現在の端末機が位置を確認することができる場合には、ウェブブラウザーを通じて、前記端末機の位置情報を、ウェブページ要請信号を使ってウェブサーバーに送信する。前記ウェブサーバーは前記端末機の位置に基盤した広告情報をページレットに含んで前記端末機に送信することができる。
【００２６】
前記ページレット要請情報はページレットを要請することができる単一資源インジケータ(UniformResourceLocator、以下‘ＵＲＬ'と称する)などのようにページレットを要請することができるページレット参照情報を含む。
【００２７】
前記ページレット生成部５１９は、前記サーバー制御部５１１の制御を通じてページレットを生成する。もし、前記ウェブページ生成部５１７でウェブページを生成時にページレット情報が含まれる場合、前記ページレット生成部５１９はページレット情報を生成して前記ウェブページ生成部５１７に提供することができる。また、前記端末機でページレットを生成する場合には前記ページレット生成部５１９は前記ウェブサーバーに存在しないこともある。
【００２８】
前記サーバー制御部５１１は、前記ウェブサーバーの全般的な動作を制御する。前記サーバー制御部５１１は、前記送受信部５１５を通じて前記端末機からウェブページ送信要請メッセージまたはページレット送信要請メッセージを受信すれば、前記メッセージに相応したウェブページまたはページレットを前記端末機に送信するように前記送受信部５１５を制御する。
前記サーバー制御部５１１は、前記ウェブページ生成部５１７と前記ページレット生成部５１９で生成されるウェブページとページレットを前記保存装置５１３に保存できるように制御することができる。また、端末機から前記ウェブページまたは前記ページレットが要請されれば、前記保存装置５１５に保存されたウェブページまたは前記ページレットを、前記送受信部５１５を通じて前記端末機に送信するように制御する。
【００２９】
次に、端末機の構造を下記の図６を参照して説明する。
図６は本発明の実施例によるウェブページインターフェース提供システムの端末機を示した図面である。
図６を参照すれば、端末機は、端末制御部(terminalcontroller)６１１、メモリー(memory)６１３、送受信部６１５、オーディオ部(audiodevice)６１７、使用者入力部(userinputdevice)６１９、ディスプレー部(displaydevice)６２１、ページレット生成部６２３を含む。
【００３０】
前記メモリー６１３は、プログラムメモリー及びデータメモリーらで構成されることができる。プログラムメモリーには、前記端末機の一般的な動作を制御するためのプログラムらとウェブページまたはページレット提供のためのプログラムらが保存される。データメモリーにはプログラムらを遂行するうちに発生されるデータらが一時保存されて、特に、本発明の実施例によるページレットディスプレーのためのデータらが一時保存される。また、前記メモリー６１３にはウェブブラウザーが保存されることができる。
【００３１】
前記送受信部６１５は、信号の送受信動作を処理して、ウェブページまたはページレットの送信を要請するメッセージを送信して、前記送信されたメッセージに相応したウェブページまたはページレットを受信する。
【００３２】
前記オーディオ部６１７は、オーディオ信号を再生してスピーカーを通じて出力するか、マイクから発生される送信オーディオ信号を処理する。
【００３３】
前記使用者入力部６１９は、キーパッドまたはタッチスクリーンなどで構成されることができるし、使用者によってボタンが押されられるか、またはタッチされれば、使用者入力信号を前記端末制御部６１１に送信する。
【００３４】
前記ディスプレー部６２１は、液晶画面(ＬＣＤ:LiquidCrystalDisplay)などで構成されることができるし、前記制御部の制御下に端末機機能遂行のうちに発生されるディスプレーデータをディスプレーする。また、前記ディスプレー部６２１はウェブページと前記ウェブページ情報のうちで一部を含んだページレットをディスプレーする。前記ディスプレー部６２１にページレットをディスプレーする場合、一つのディスプレー部に前記ウェブページと区分された領域にディスプレーするか、または前記ウェブページと重複してディスプレーすることができる。また、前記ディスプレー部６２１が例えば、二つ以上のハードウェアで区分された場合、第１ディスプレー部にはウェブページをディスプレーして、第２ディスプレー部にはページレットをディスプレーすることができる。
【００３５】
前記ページレット生成部６２３は、前記端末制御部６１１の制御を通じて受信されたウェブページを使ってページレットを生成する。また、前記ページレット生成部６２３は、前記ウェブサーバーから受信されたウェブページがページレット情報を含んだ場合前記ページレット情報を使ってページレットを生成する。もし、前記ウェブサーバーからページレットを受信する場合には、前記ページレット生成部６２３は、前記端末機に存在しないこともある。
【００３６】
前記端末制御部６１１は、前記端末機の全般的な動作を制御する。前記端末制御部６１１は前記送受信部６１５を通じてウェブページまたはページレット送信を要請するメッセージを送信して、前記メッセージに相応してウェブページまたはページレットを受信する。
前記端末制御部６１１は、受信されたウェブページにページレット情報が含まれた場合には、前記ページレット情報を使ってページレットを生成する。また、前記端末制御部６１１は受信されたウェブページにページレット情報が含まれない場合には、前記ページレット生成部６２３を通じてページレットを生成する。もし、前記端末制御部６１１はウェブページにページレット要請情報が含まれた場合には、前記ページレット要請情報を使って前記ウェブサーバーにページレットの送信を要請するページレット送信要請メッセージを生成する。ここで、前記ページレット要請情報は、ページレットを要請することができるページレット参照情報、例えばページレットＵＲＬなどを含む。以後、前記端末制御部６１１は生成されたページレット要請メッセージを、前記送受信部６１５を通じて前記ウェブサーバーに送信する。
前記端末制御部６１１は、ウェブページを前記ディスプレー部６２１にディスプレーして、受信されたページレットまたは前記端末機内部で生成されたページレットを前記ディスプレー部６２１にディスプレーする。
【００３７】
次にページレットを使ったウェブページインターフェースを提供するウェブサーバーと端末機の動作を下記の図７と図８を参照して説明する。
図７は、本発明の第１実施例によるページレットを使ってウェブページインターフェースを提供するウェブサーバーと端末機の動作を示した信号流れ図である。
図７を参照すれば、端末機はウェブサーバーにウェブページ送信を要請するメッセージを送信する(７１１段階)。
【００３８】
前記ウェブサーバーは、前記端末機から前記ウェブページ送信を要請するメッセージを受信すれば、前記受信されたメッセージに相応してウェブページを送信する(７１３段階)。
ここで前記ウェブサーバーは、ウェブページに相応したページレット情報とページレット要請情報のうちで少なくとも一つを生成して、前記生成されたページレット情報とページレット要請情報を前記端末機に送信する。もし、前記ウェブサーバーは、ページレットディスプレーを支援できない端末機が存在する場合に前記ページレット情報またはページレット要請情報を送信しない。そして、前記ウェブサーバーは前記ウェブページ提供者から前記ウェブページに相応したページレットを生成するための情報を入力されて、これを使って前記ページレットを生成する。
【００３９】
前記端末機は、前記ウェブページを受信すれば、前記ウェブページ内に前記ページレット情報が含まれたのか確認する。前記確認結果ウェブページ内にページレット情報が含まれた場合には、前記ページレット情報を抽出する。前記端末機は抽出されたページレット情報を使ってページレットを生成して、前記生成されたページレットをディスプレーする。しかし、前記確認結果ウェブページ内にページレット情報が含まれていない場合には、前記端末機は前記ウェブページを使って前記ページレットを生成して、前記生成されたページレットをディスプレーする。
【００４０】
図８は、本発明の第２実施例によるページレットを使ってウェブページインターフェースを提供するウェブサーバーと端末機の動作を示した信号流れ図である。
図８を参照すれば、端末機はウェブサーバーでウェブページの送信を要請するメッセージを送信する(８１１段階)。
【００４１】
前記ウェブサーバーは、前記端末機から前記ウェブページ送信を要請するメッセージを受信すれば、前記受信されたメッセージに相応してウェブページを送信する(８１３段階)。
前記ウェブサーバーは、前記端末機に前記ウェブページのみを送信するか、またはページレット送信を要請するための情報、すなわちページレット要請情報が含まれたウェブページを送信する。
【００４２】
前記端末機は、前記ウェブサーバーにページレット送信を要請するメッセージを送信する(８１５段階)。前記端末機は、前記ウェブサーバーから受信されたウェブページにページレット要請情報が含まれた場合には、前記ページレット要請情報を使ってページレット送信を要請するメッセージを送信する。
【００４３】
前記ウェブサーバーは、前記端末機から前記ページレット送信要請メッセージを受信すれば、前記ページレット送信要請に相応したページレットを前記端末機に送信する(８１７段階)。
前記ページレットを受信した端末機は、前記ページレットを前記端末機にディスプレーする。
【００４４】
図７と図８で前記ウェブサーバーは、前記ウェブページと前記ページレットを内部にあらかじめ生成して保存するか、または前記端末機からウェブページとページレットが要請される場合に生成することができる。
また、前記端末機は、前記ページレットを前記端末機のディスプレー装置、すなわちディスプレー部にディスプレーする場合ウェブページがディスプレーされる時点、ページレットディスプレーのためのキー入力が存在する時点、ページレットディスプレーのためのメニュー選択が存在する時点、ページレット情報に含まれたページレットディスプレーインジケータの値が指示する時点のうちで一つの時点にページレットをディスプレーすることができる。
【００４５】
ここでページレットディスプレーインジケータは、ページレットのディスプレー時点を指定して、指定することができる時点としてはウェブページがディスプレーされる時点、特定キー入力が存在する時点、メニュー選択が存在する時点などがある。時点指定方法としては一例で、<pageletautoshow="true">．．．<pagelet>のようにpageletタグの追加速成を使用する方法を使用することができるし、この場合は端末機でウェブページがディスプレーされる時点にページレットをディスプレーするように明示したものである。
特に、前記端末機は、前記ページレットをディスプレーする場合使用者の肉眼で識別可能な最小大きさ以上の大きさを有するようにディスプレーして、一例で、ウェブページの原本大きさと同一な大きさでディスプレーする。
一方、前記ではウェブサーバーを基準に説明したが、前記ウェブサーバーは前記ページレット生成のための情報またはページレットを提供することができる保存媒体または他のサーバーに取り替えられることができる。
【００４６】
前記ページレットディスプレーのためのページレット情報またはページレットを送受信する動作を下記で説明する。
【００４７】
一番目に、ハイパーテキストマークアップ言語(HypertextMarkupLanguage、以下ＨＴＭＬ’と称する)を使ってページレット情報をウェブページに含むことができる。ここで、前記ＨＴＭＬを使ってページレット情報をウェブページに含むことを下記の図９を参照して説明する。
図９は、本発明の実施例でページレット情報が挿入されたＨＴＭＬコードを示した図面である。
図９を参照すれば、ＨＴＭＬはウェブ文書を作るために使用する基本的なプログラミング言語の一種類であり、前記ＨＴＭＬで使用する命令語をタグ(tag)と称する。前記タグは、スタートと終りを表示する二つの対でなされている。
【００４８】
ウェブサーバーは、前記ＨＴＭＬで構成されたウェブページ内で、特定タグで囲んだＨＴＭＬを使って前記ページレット情報９１０を含む。ここに図９のＨＴＭＬコードにはページレット情報９１０が含まれている。
前記ウェブページを要請する端末機のウェブブラウザーは、前記ページレット情報９１０を受信しようとする場合ウェブページ要請メッセージの使用者エージェント(useragent)文字列にpagelet’という文字を含めば、前記ウェブサーバーは、前記ページレット情報を前記ウェブページに含んで生成する。
また、ウェブページを要請する端末機のウェブブラウザーが前記使用者エージェント文字列にpagelet’という文字を含まなければ、前記ウェブサーバーは前記ページレット情報が含まれないウェブページを生成する。
前記したようにページレットを要請するメッセージにページレット生成を要請する情報を含んで送信すれば、前記ウェブサーバーは前記ウェブページに前記ページレット情報９１０を選択的に含んで送信することができる。
前記ウェブサーバーは、前記ＨＴＭＬコードでページレット情報９１０をpagelet’というタグを使った。これによってウェブページ内、すなわち、ＨＴＭＬ内部にページレット情報９１０を含む場合には、端末機のウェブブラウザーに前記ページレット情報９１０を抽出できるようにウェブブラウザーの分析機を修正または変更して使用する。
【００４９】
二番目に、ウェブページのアイフレーム(iframe)を使って前記ページレット情報をウェブページに含むことができる。
前記ウェブページにはアイフレームが存在して、前記アイフレームにはＨＴＭＬを使わなくても良い部分がある。前記ウェブサーバーは、前記ＨＴＭＬを使わなくても良い部分に前記ページレット情報を含んで端末機に送信することができる。
前記ページレット情報が含まれたアイフレームをページレット用アイフレーム’で区分することができるし、ウェブページとは別途のＵＲＬを使用するので、ウェブページとは独立的に管理されることができる。
前記ウェブサーバーが前記アイフレームを使用する場合には、端末機はウェブページはウェブページ分析機を使って分析して、前記ページレット情報は簡単な分析機を使って分析することができる。
特に、ウェブブラウザーがサーバー基盤である場合には、ウェブサーバーでウェブページを分析して適切に変換された情報を端末機に送信して、ページレット情報は端末機に搭載された単純化された分析機を使って分析することができる。
【００５０】
三番目に、ウェブブラウザーを使ってウェブページにページレットと関連されるスクリプト(script)個体または応用プログラムインターフェース(ApplicationProgrammingInterface、以下API’と称する)を挿入する方法がある。
前記ウェブページが端末機のウェブブラウザーで駆動される場合、前記端末機のウェブブラウザーはウェブページ内でジャバスクリプト(Java（登録商標）script)などを使ってページレットと関連されるスクリプト個体または応用プログラムインターフェースが含まれたか確認する。前記確認結果、前記ページレットに関連されるスクリプト個体や応用プログラムインターフェースが存在すれば、前記端末機はページレット情報を非同期ジャバスクリプト拡張マークアップ言語(AsynchronousJava（登録商標）scriptandeXtensibleMarkupLanguage、以下Ajax’と称する)で使用する拡張マークアップ言語ハイパーテキスト伝送プロトコルページ要請(eXtensibleMarkupLanguageHypertextTransferProtocolRequest、以下ＸＭＬＨＴＴＰRequest’と称する)を使ってウェブサーバーから受信するか、または前記ウェブページ内部で生成してウェブブラウザーに伝達することができる。
【００５１】
四番目に、前記端末機がウェブページの単一資源インジケータを使ってページレットをウェブサーバーに要請することができる。例えば、ウェブページの単一資源インジケータがhttp://www．Aaa．com/sample．htm’である場合、前記単一資源インジケータを使ってページレットを要請する単一資源インジケータをhttp://www．Aaa．com/sample．pgl’のように設定してページレット要請に使用することができる。前記ウェブサーバーは、ページレットを生成して保存していながら、前記端末機から前記した単一資源インジケータを使ったページレット要請が受信されれば、保存されたページレットを前記端末機に送信する。
【００５２】
五番目に、前記端末機内部で前記ウェブページのみを受信して前記ウェブページからページレットを生成する。この場合、ウェブサーバーでは別途のページレット生成のための動作を遂行しない。
前記ページレットディスプレーのためのページレット情報またはページレットを送受信する五つ動作は、一例で説明されたものとして前記した場合に限定されない。
一方、前記ページレットには前記端末機に特化された追加情報を含むことができる。前記端末機に特化された追加コンテンツは、ウェブページ提供情報のうちの一部であるか、または前記端末機で前記ウェブページと関連されてさらに生成した情報になることができる。
そして、前記ページレットは、ウェブページと論理的な連関関係を有しているが、ウェブページと独立的に端末機でディスプレーされる。また、端末機は、前記ページレットをあらかじめ設定された一定大きさ以上を有してディスプレーされて、制限されたディスプレー装置にかかわらず、ウェブブラウジングサービスを使用者に提供することが可能である。
前記ページレットは、ウェブページと独立的にディスプレーされて、前記ウェブページの要約本または核心機能縮約本である。ここで前記ページレットに含まれたページレット情報は、使用者に肉眼で確認可能な最小大きさ以上の大きさを有するようにディスプレーされる。
【００５３】
一方、本発明の詳細な説明では具体的な実施例に関して説明したが、本発明の範囲から脱しない限度内でさまざまな変形が可能であることは勿論である。それで、本発明の範囲は、説明された実施例に限って決まってはいけないし、後述する特許請求の範囲だけではなく、この特許請求の範囲と均等なものなどによって決まらなければならない。
【符号の説明】
【００５４】
３００  移動端末機
３１０  ウェブページ全体
３２０  ディスプレー画面
【図４】
2010020770.tif 000003
【図５】
2010020770.tif 000004
【図６】
2010020770.tif 000005
【図７】
2010020770.tif 000006
【図８】
2010020770.tif 000007
【図１】
2010020770.tif 000008
【図２】
2010020770.tif 000009
【図３】
2010020770.tif 000010
【図９】
2010020770.tif 000011